(57)【特許請求の範囲】
【請求項１】
ＡＴＭモードのアクセス網の外部遠隔通信ライン（５１〜５Ｍ）と、端末装置（７、１３）にサービスを提供する設備内部の遠隔通信ライン（６１〜６Ｎ）との間のルータ（２）に、予約された遠隔通信ライン（６Ｒ）によって接続された、ＡＴＭモードで動作する端末設備（１）のための管理部（３）であって、
前記端末装置によって送信され、前記管理部に予約された着信セル（ＣＥ）中で、前記端末装置の識別子（ＮＳＡＰ）、および少なくとも前記端末装置にサービスを提供する前記内部ラインを指示する端末装置のポート番号（ＮＰ）を検出し、記憶する手段（３６、３９）と、
前記端末装置の最初の起動の後、前記端末装置によって提供される機能に応じて、各端末装置にクラスの標識（ＩＣ）を割り振り、記憶する手段（３６、３９）と、
前記端末装置の前記クラスの標識（ＩＣ）、および前記端末装置の所在場所の標識（ＩＬ）を有する端末装置リスト（ＬＴＤＥ）を作成して、少なくとも１つの所定の機能（ＩＣＤＥ）を提供する端末装置の要求を含む着信セルを送信した要求側の端末装置（ＴＤＲ）に前記管理部から発信されるセル（ＣＳ）中で、前記リストを伝送するようにする手段（３８）とを含むことを特徴とする管理部（３）。
【請求項２】
前記所定の機能（ＩＣＤＥ）が、前記管理部（３）自体によって供与されることを特徴とする請求項１に記載の管理部。
【請求項３】
利用可能な経路指定アドレス（ＶＰＩＲＴ／ＶＣＩＲＴ）を端末装置のポート番号（ＮＰ）に対応させて、前記端末装置を宛先とする前記管理部からのすべての発信セル（ＣＳ）中に前記アドレス（ＶＰＩＲＴ／ＶＣＩＲＴ）を含めるようにする手段（３６）を含む請求項１または２に記載の管理部。
【請求項４】
前記端末装置を前記端末装置に定期的に問い合わせ、前記端末装置の動作状態を記憶して、前記管理部から停止された端末装置に向けての通信に予約されている経路指定アドレス（ＶＰＩＲＴ／ＶＣＩＲＴ）を利用可能にする手段（３６、３９）を含む請求項３に記載の管理部。
【請求項５】
所定の機能を提供する端末装置の前記要求が、着信セル（ＣＥ）のデータ・フィールド（ＣＤ）の制御フィールド（ＣＣ）に含まれるクラスの標識（ＩＣＤＥ）の形態で表現されることを特徴とする請求項１ないし４のいずれか一項に記載の管理部。
【請求項６】
少なくとも１つの所定の機能を提供する端末装置の前記要求が、前記要求側の端末装置（ＴＤＲ）において捕捉され、着信セル（ＣＥ）のデータ・フィールド（ＣＤ）の制御フィールド（ＣＣ）中に含められるキーワードの形態で表現され、リストを作成するための前記手段（３８）が、前記キーワードのファジイ分析からクラスの標識（ＩＣＤＥ）を推定する（Ａ５）ことを特徴とする請求項１ないし５のいずれか一項に記載の管理部。
【請求項７】
前記端末装置にサービスを提供する前記内部ラインを指示する前記ポート番号（ＮＰ）に対応する、端末装置にのみ所在場所の標識（ＩＬ）を割り振るようにする手段（３８、３９）を含むことを特徴とする請求項１ないし６のいずれか一項に記載の管理部。
【請求項８】
前記端末装置にそれぞれ関連し、前記端末設備において前記端末装置がそれぞれ起動された後、管理部によって捕捉される所在場所の標識（ＩＬ）を記憶する手段（３８、３９）を含むことを特徴とする請求項１ないし７のいずれか一項に記載の管理部。
【請求項９】
前記端末装置にそれぞれ関連し、前記端末設備において前記端末装置が起動されたとき、前記端末装置において捕捉され、着信セル（ＣＥ）のデータ・フィールド（ＣＤ）の制御フィールド（ＣＣ）中に含められる所在場所の標識（ＩＬ）を記憶する手段（３８、３９）を含むことを特徴とする請求項１ないし８のいずれか一項に記載の管理部。
【請求項１０】
端末装置のリスト（ＬＴＤＥ）が、各端末装置に関して、前記端末装置の名前および／またはグラフィックス表示、前記端末装置によって提供される少なくとも１つの機能の場所および名称、ならびに前記要求側の端末装置（ＴＤＲ）において選択可能である前記端末装置のアドレスを含むことを特徴とする請求項１ないし９のいずれか一項に記載の管理部。
【請求項１１】
前記端末設備において前記端末装置が最初に起動された後、前記管理部において捕捉されるアクセス権（ＤＡ）を各端末装置に割り振り、記憶して、前記要求側の端末装置（ＴＤＲ）の前記アクセス権を記憶された前記クラスの標識（ＩＣ）と比較（Ａ８）して、前記要求側の端末装置アクセス権に適合するクラスの標識（ＩＣ）を提供し、前記所定の機能（ＩＣＤＥ）をカバーする端末装置に関してのみ、前記リスト（ＬＴＤＥ）を作成（Ａ９）するようにする手段（３８、３９）を含むことを特徴とする請求項１ないし１０のいずれか一項に記載の管理部。
【請求項１２】
前記端末設備におけるホーム・オートメーション端末装置を選択し、管理し、制御する手段（３７）を含む請求項１ないし１１のいずれか一項に記載の管理部。
【請求項１３】
前記管理部において前記着信セル（ＣＥ、ＣＳ）を処理し、前記セルが含む経路指定アドレス（ＶＰＩＲ、ＶＣＩＲ）の優先順位に従って前記管理部から前記発信セル（ＣＳ）を伝送する手段（３１〜３５）を含む請求項１ないし１２のいずれか一項に記載の管理部。
【請求項１４】
前記管理部に着信し、また前記管理部から発信される、前記管理部との通信に予約されたセル（ＣＥ、ＣＳ）の経路指定アドレスのフィールドに含まれる経路指定アドレス（ＶＰＩＲ／ＶＣＩＲ）に優先順位の標識（ＩＰ１〜ＩＰＫ）を対応させるためのテーブルのメモリ（３３）と、
前記着信セル（ＣＥ）の経路指定アドレスの前記フィールドを、前記テーブルのメモリ（３３）中で読み取られた予約された前記経路指定アドレスと比較する手段（３１）と、
各着信セル（ＣＥ）をそれぞれ、前記着信セルに含まれる前記経路指定アドレスに対応する優先順位の前記標識に応じて記憶するための第１のバッファ・メモリ（３２１、３２Ｋ）と、
最高優先順位の前記標識でアドレス指定される前記第１のバッファ・メモリに含まれるセルから始めて、前記着信セルを処理するためにセルを処理する手段（３６、３７、３８）と、
前記処理する手段によって生成された前記発信セル（ＣＳ）の経路指定アドレスの前記フィールドを、前記テーブルのメモリ（３３）中で読み取られた予約された前記経路指定アドレスと比較する手段（３８）と、
各発信セル（ＣＳ）をそれぞれ、前記発信セルに含まれる前記経路指定アドレスに対応する優先順位の前記標識に応じて記憶するための第２のバッファ・メモリ（３４１〜３４Ｋ）と、
最高優先順位の前記標識に関連する前記第２のバッファ・メモリに含まれるセルから始めて、前記発信セルを送信する手段（３５）とを含む請求項１ないし１２のいずれか一項に記載の管理部。
【請求項１５】
管理部（３）と
予約された遠隔通信ライン（６Ｒ）で前記管理部に接続され、複数の外部遠隔通信ライン（５１〜５Ｍ）でＡＴＭモードのアクセス網（ＲＡ１〜ＲＡＭ）に接続され、また内部遠隔通信ライン（６１〜６Ｎ）によりＡＴＭモードで動作する端末装置（７）に接続されたルータ（２）とを含む、ＡＴＭモードで動作する端末設備（１）であって、
前記ルータ（２）が、予約された経路指定アドレス（ＶＰＩＲ／ＶＣＩＲ）、および前記ルータ中に記憶された経路指定テーブル（２５）で知られていない経路指定アドレスを含んでおり、前記端末装置（７）および前記アクセス網（ＲＡ１〜ＲＡＭ）によって伝送されたセルを前記予約されたライン（６Ｒ）に向けて経路指定し、また前記経路指定テーブル（２５）で知られている経路指定アドレス（ＶＰＩ／ＶＣＩ）を含むセルを前記内部ラインと前記外部ラインの間、ならびに前記内部ライン間で経路指定すること、および
前記管理部（３）が、前記経路指定テーブル（２５）を管理して、前記予約されたライン（６Ｒ）に経路指定される予約された経路指定アドレス（ＶＰＩＲ／ＶＣＩＲ）を含む前記セルを処理し、前記ルータ（２）によって受信されたセルに含まれる予約されていない経路指定アドレス（ＶＰＩ／ＶＣＩ）と、前記ルータから送信されるセル中に含めるべき予約されていない経路指定アドレスの間の対応を確立するようにする手段（３８、３９）と
前記端末装置によって送信され、前記管理部に予約された着信セル（ＣＥ）中で、前記端末装置の識別子（ＮＳＡＰ）、および少なくとも前記端末装置にサービスを提供する前記内部ラインを指示する端末装置のポート番号（ＮＰ）を検出し、記憶する手段（３６、３９）と、
前記端末装置の最初の起動の後、前記端末装置によって提供される機能に応じて、各端末装置にクラスの標識（ＩＣ）を割り振り、記憶する手段（３６、３９）と、
前記端末装置の前記クラスの標識（ＩＣ）、および前記端末装置の所在場所の標識（ＩＬ）を有する端末装置リスト（ＬＴＤＥ）を作成して、少なくとも１つの所定の機能（ＩＣＤＥ）を提供する端末装置の要求を含む着信セルを送信した要求側の端末装置（ＴＤＲ）に前記管理部から発信されるセル（ＣＳ）中で、前記リスト（ＬＴＤＥ）を伝送するようにする手段（３８）とを含むことを特徴とする設備（１）。
【請求項１６】
前記ルータ（２）が、
前記ルータによって受信されたセル（Ｃ１）中で、予約された経路指定アドレス（ＶＰＩＲ／ＶＣＩＲ）および前記経路指定テーブル（２５）で知られていない経路指定アドレスを検出する手段（２１１、２１２、２３１、２３２）と、
受信されたセル中の前記知られていない経路指定アドレスを予約された経路指定アドレスで置き換える手段（２１１、２１２、２３１、２３２、２５）と、
予約された経路指定アドレスを含む各セルのデータ・フィールドに、前記セルがそれを経由して受信された前記ルータの起点ポート（２０ｎ、２２ｍ）の番号（ＮＰ）でマークを付ける手段（２１３、２３３）と、
すべてのマークの付けられた前記セル（Ｃ２）を前記予約されたライン（６Ｒ）を介して前記管理部（３）に向けて経路指定する手段（２４１、２４２）とを含むことを特徴とする請求項１５に記載の設備。
【請求項１７】
それぞれの内部ライン（６ｎ）に接続され、端末装置（７）と、前記それぞれの内部ラインを介して受信されたセルを個別設備の前記端末装置に向けて同報通信するための同報通信部（８Ｄ）と、前記個別設備の前記端末装置によって生成されたセルを収集して、前記それぞれの内部ラインで前記ルータ（２）に向けて前記セルを伝送するための収集部とを含む少なくとも１つの個別端末設備（４）を含む請求項１５または１６に記載の設備。
【請求項１８】
個別設備（４）の間で共用され、それぞれの内部遠隔通信ライン（６２）で前記ルータ（２）に接続された少なくとも１つの端末装置（１３）を含む請求項１４ないし１７のいずれか一項に記載の設備。
【請求項１９】
同報通信によって複数の端末装置（１２、１４）にサービスを提供し、それぞれの内部遠隔通信ライン（６ｎ＋１、６１）で前記ルータ（２）に接続された少なくとも１つのレプリケータ（１１、１５）を含む請求項１４ないし１８のいずれか一項に記載の設備。
【発明の詳細な説明】
【０００１】
本発明は、一般に、クライアントの敷地に設置されたＡＴＭモードで動作する専用端末設備に関する。
【０００２】
本発明は、より詳細には、１９９９年６月８日出願で未公開のフランス特許出願９９−０７１７２に記載されるような、ＡＴＭモードの複数の個別設備をグループ化する集合設備における端末装置の管理に関する。マルチ端末装置の個別設備は、ＡＴＭモードのネットワークのセルを搬送する遠隔通信ラインに接続され、その遠隔通信ラインの受信チャネルを介して受信されたすべてのセルを端末装置に向けて同報通信する同報通信手段と、端末装置によってその遠隔通信ラインの送信チャネルに向けて送信されたセルを収集する手段とを含む。
【０００３】
さらに、管理部が専用電話中央局に結合され、専用電気網のワイヤにおける搬送電流による伝送を介して、かつ／または短距離の無線伝送によってホーム・オートメーション端末装置を管理するホーム・オートメーション設備が周知である。
【０００４】
本発明は、経路指定の諸側面、ならびに端末装置の識別、端末装置の機能の提示、および端末装置の所在場所の特定の側面を、端末装置および中央集合ルータとのＡＴＭモードだけの通信を介して管理する、個別の端末設備ではなく、専用集合端末設備の管理部を提供することを目的とする。
【０００５】
この目的で、ＡＴＭモードのアクセス網の外部遠隔通信ラインと、端末装置にサービスを提供する設備内部の遠隔通信ラインとの間のルータに予約された遠隔通信ラインに接続されたＡＴＭモードで動作する端末設備のための管理部は、
端末装置によって送信され、管理部に予約された着信セル中で、端末装置の識別子、および端末装置にサービスを提供する内部ラインを指示する端末装置のポート番号を検出し、記憶する手段と、
端末装置の最初の起動の後、端末装置によって提供される機能に応じて、各端末装置にクラスの標識を割り振り、記憶する手段と、
端末装置のクラスの標識、および端末装置の所在場所の標識を有する端末装置リストを作成して、少なくとも１つの所定の機能を提供する端末装置の要求を含む着信セルを送信した要求側の端末装置に管理部から発信されるセル中で、そのリストを伝送するようにする手段とを含むことを特徴とする。
【０００６】
管理部は、端末装置の識別、端末装置の機能の提供、および端末装置の所在場所の特定を管理するだけでなく、端末装置または個人によって要求されるサービスまたはアプリケーションなどの機能に対する、要求側の端末装置または個人のアクセス権も管理する。したがって、管理部は、端末設備における端末装置の最初の起動後、管理部において捕捉されるアクセス権を各端末装置に割り振り、記憶して、要求側の端末装置のアクセス権を記憶されたクラスの標識と比較して、要求側の端末装置のアクセス権に適合するクラスの標識を提供し、所定の機能をカバーする端末装置に関してだけ、リストを作成するようにする手段を含む。
【０００７】
端末設備におけるホーム・オートメーション端末装置を選択し、管理し、制御する手段が、管理部に特別に備えられている。
【０００８】
これに関して、管理部は、好ましくは、セルが含む経路指定アドレスの優先順位に従って管理部に着信するセルを処理し、管理部から発信されるセルを伝送する手段を含む。より正確には、管理部は、管理部に着信し、また管理部から発信される、管理部との通信に予約されたセルの経路指定アドレスのフィールドに含まれる経路指定アドレスに優先順位の標識を対応させるためのテーブルのメモリと、着信セルの経路指定アドレスのフィールドを、テーブルのメモリ中で読み取られた予約された経路指定アドレスと比較する手段と、各着信セルをそれぞれ、着信セルに含まれる経路指定アドレスに対応する優先順位の標識に応じて記憶するための第１のバッファ・メモリと、最高優先順位の標識でアドレス指定される第１のバッファ・メモリに含まれるセルから始めて、着信セルを処理するためにセルを処理する手段と、処理する手段によって生成された発信セルの経路指定アドレスのフィールドをテーブルのメモリ中で読み取られた予約された経路指定アドレスと比較する手段と、各発信セルをそれぞれ、発信セルに含まれる経路指定アドレスに対応する優先順位の標識に応じて記憶するための第２のバッファ・メモリと、最高優先順位の標識に関連する第２のバッファ・メモリに含まれるセルから始めて、発信セルを送信する手段とを含む。
【０００９】
また、本発明は、本発明による管理部と、予約された遠隔通信ラインで管理部に接続され、複数の外部遠隔通信ラインでＡＴＭモードのアクセス網に接続され、また内部遠隔通信ラインによりＡＴＭモードで動作する端末装置に接続されたルータとを含む、ＡＴＭモードで動作する端末設備にも関する。端末設備は、ルータが、予約された経路指定アドレス、およびルータ中に記憶された経路指定テーブルで知られていない経路指定アドレスを含んでおり、端末装置およびアクセス網によって予約されたラインに向けて伝送されるセルを経路指定し、また経路指定テーブルで知られている経路指定アドレスを含むセルを内部ラインと外部ラインの間、および内部ライン間で経路指定すること、および管理部が、経路指定テーブルを管理して予約されたラインに向けて経路指定される予約された経路指定アドレスを含むセルを処理し、ルータによって受信されたセルに含まれる予約されていない経路指定アドレスと、ルータから送信されるセル中に含めるべき予約されていない経路指定アドレスとの間の対応を確立するようにする手段を含むことを特徴とする。
【００１０】
より詳細には、ルータによって受信された予約された経路指定アドレスを含むセルを強制的に管理部に向わせて、管理部が、そのセルを送信した端末装置に応答するようにするため、ルータは、ルータによって受信されたセル中で、予約された経路指定アドレス、および経路指定テーブルで知られていない経路指定アドレスを検出する手段と、受信されたセル中の知られていない経路指定アドレスを予約された経路指定アドレスで置き換える手段と、予約された経路指定アドレスを含む各セルのデータ・フィールドに、セルが受信されたルータの起点ポートの番号でマークを付ける手段と、マークの付けられたすべてのセルを予約されたラインを介して管理部に向けて経路指定する手段とを含む。
【００１１】
本発明のその他の特徴および利点は、対応する添付の図面を参照する本発明のいくつかの好ましい実施形態の以下の説明を読むことで、より明白となる。
【００１２】
図１で示したとおり、ＡＴＭモードのクライアント専用集合端末設備１は、基本的に、集合管理部３に関連する集合ルータ２と、複数のクライアント専用個別端末設備４とを含む。
【００１３】
集合ルータ２は、一般に遠隔通信事業者であるＡＴＭモードの、１≦Ｍであるアクセス・プロバイダのネットワークＲＡ１ないしＲＡＭとのユーザ・ネットワーク・インターフェースＵＮＩ（Ｕｓｅｒ  Ｎｅｔｗｏｒｋ  Ｉｎｔｅｒｆａｃｅ）に対する集合ゲートウェイを構成する。実際には、集合ルータ２は、アクセス・プロバイダのネットワークＲＡ１ないしＲＡＭと少なくとも同じ数の外部の双方向遠隔通信ライン５１ないし５Ｍによるサービスを受け、ライン５１ないし５Ｍは、ｘＤＳＬ技術による伝送をサポートすることができる、たいていの場合、広帯域幅のＲＮＩＳタイプのＴＮＲネットワークのデジタル端子に接続されて、ＡＴＭネットワークのセルのフローを搬送する。ただし、変形形態では、外部ラインが、ＡＴＭモード以外の伝送モードに従って信号を搬送し、この外部ラインにサービスを提供する集合ルータのカップラが、ＡＴＭモードを外部の伝送モードに適合させる。
【００１４】
所定のアドレス指定テーブルとの関係で、集合ルータ２が、外部遠隔通信ライン５１ないし５Ｍから来るＡＴＭセルをそれぞれ、とりわけ個別端末設備４に接続された内部遠隔通信ライン６１ないし６Ｎに向ける。また、内部ライン６１ないし６Ｎも、２つの伝送方向でＡＴＭセルを搬送するが、とりわけ個別設備とのそれぞれの関係で搬送する。したがって、また、これに相応して集合ルータ２は、とりわけ個別端末設備４からのＡＴＭセルの一部を内部遠隔通信ライン６１ないし６Ｎを介して外部遠隔通信ライン５１ないし５Ｍに経路指定し、また一部を集合端末設備１内部の遠隔通信ラインに経路指定する。
【００１５】
専用個別端末設備４は、集合端末設備１によって実現された集合体中のクライアントの責任の下にある。例えば、個別端末設備４は、集合端末設備１が敷設された建物中の住居に、または集合端末設備が敷設されたオフィス・ビルの職場に、あるいは、集合端末設備が分かれて設置された建物の集合体のある建物に分散された大学の学部または企業の部門に分かれて配置されたものである。したがって、個別端末設備の内部で、通信は、秘密であり、個別設備の外部に向けられた通信は、先験的にその他の設備に向けて同報通信されてはならない。
【００１６】
変形形態では、集合設備が、例えば、建造物に対応する、また建造物中の階に対応する、そして階における個別設備にまで対応する複数の「集合レベル」を有するとき、集合設備は、カスケード式に配置された複数の集合ルータを含む。例えば、図１で示したルータ２は、いくつかの内部ライン６１ないし６Ｎでそれぞれ、第１のレベルの集合ルータに接続され、集合ルータ自体もそれぞれ、第２のレベルの集合ルータに接続される。
【００１７】
個別設備４の外部で、集合端末設備１が、以降、６Ｒで示す予約された内部遠隔通信ラインで接続された集合管理部３などの、集合設備を管理するための一群のリソースを含む。以下で見るとおり、ライン６Ｒは、ルータが、それぞれのアドレスでライン６Ｒを特定しているという意味で管理部３に予約されている。したがって、ライン６Ｒは、管理部３に専用ではなく、例えば、レプリケータを介して端末装置にもサービスを提供することができる。
【００１８】
集合管理部３は、集合設備１に含まれるグループの機器および設備を制御し、とりわけ外部遠隔通信ライン５１ないし５Ｍおよび共用されるリソースに関して、これらの機器および設備のサービスおよびアクセス権を管理する。より詳細には、集合管理部３は、端末装置を動作させるとき、また端末装置からの発信コールのときに内部ラインから来るだけでなく、着信コールとして外部ラインからも来る通信を確立するあらゆる要求に関して経路指定の設定を確立し、まだ確立されていない通信のすべての要求をデフォルトで管理し、個別設備４および共用される機器のアーキテクチャおよび配置の情報に関するデータベースを集中化して周期的に更新し、新しい端末装置の識別および場所を、集合設備内に実装する際に登録し、確立された経路指定の設定に従って集合ルータ２の内部で経路指定テーブルを管理し、ローカル・アプリケーションを提供する。
【００１９】
変形形態では、集合管理部３は、例えば、ＡＴＭモードの専用ラインを介して、集合設備１の外部で遠隔に配置される。
【００２０】
内部ライン６ｎに接続されたクライアント個別端末設備４の１つを図１で詳細に示している。この個別端末設備４は、基本的に、クライアントの敷地に分かれて配置された複数の端末装置７を含み、個別ルータ８によって構成された専用ゲートウェイを介して、少なくとも１つのそれぞれの内部遠隔通信ライン６ｎに接続され、ただし、１≦ｎ≦Ｎである。端末装置７は、小型コンピュータ、制御装置、および／または、例えば、カメラやセンサなどのホーム・オートメーション監視装置、ローカル・サーバ、デジタル電話局、ケーブル・テレビジョン受信機等であることが可能である。
【００２１】
集合端末設備１における集合ルータ２と同様に、個別端末設備４における個別ルータ８は、個別管理部９によって管理され、端末遠隔通信ライン１０を介して端末装置７にサービスを提供する設備における通信ノードを構成する。個別端末設備４は、例えば、前掲のフランス特許出願ＦＲ−Ａ−２７９４５９１に記載されるようなクライアント・マルチ端末装置の遠隔通信の設備である。
【００２２】
個別設備において、個別ルータ８は、それぞれの内部ライン６ｎを介して受信されたＡＴＭセルを個別設備の端末装置７に向けて同報通信するための同報通信部８Ｄと、個別設備の端末装置７によって生成されたＡＴＭセルを収集して、それぞれの内部ライン６ｎで集合ルータ２に向けて伝送するための収集部８Ｃとを含む。図１で示すとおり、設備４において、端末装置７は、同報通信部８Ｄの出力ポートと収集部８Ｃの入力ポートの間の内部端末ライン１０によって構成されるデジタル伝送のローカル・ループ群に分散される。また、個別ルータ８は、同報通信部８Ｄを介して、ローカル・ループ１０において端末装置によって生成されたマーク付けされた相互通信のセルを同報通信して、設備４における端末装置７間の相互通信も確実にする。
【００２３】
変形形態では、個別ルータ８は、集合ルータのすべての機能を備え、とりわけ個別設備における端末装置の所在場所を特定するのを助けるような集合ルータである。この場合、管理部９は、ルータ８および個別設備４の端末装置７に関して、管理部３と同様の機能を含む。
【００２４】
各端末装置７は、ＡＴＭネットワークのインターフェースを介してローカル端末ループ１０に接続されるか、あるいは端末装置が、ネットワーク・インターフェースを備えていない従来の遠隔通信装置である場合、アダプタを介してローカル端末ループ１０に接続される。インターフェースまたはアダプタは、同報通信部８Ｄによって同報通信されたＡＴＭセルを受信し、端末装置によって生成されたＡＴＭセルをローカル・ループに挿入し、収集部８Ｃの方向でそのローカル・ループを介して他の端末装置に向けて転送するセルを中継する。個別ルータ８の同報通信部および収集部における送信／受信ポートのカップラ、ならびに端末装置およびそのインターフェースとアダプタは、個別端末設備４のアーキテクチャに関するすべての情報を集中化する個別管理部９のデータベース中でディレクトリにまとめられている。一般に、少なくとも端末装置７の識別に関する情報も、集合管理部３中に含められる。
【００２５】
変形形態では、個別管理部９は、例えば、ＡＴＭモードの専用ラインを介して、集合管理部３に関しても可能であるように設備４のクライアントの敷地の外部で遠隔に配置される。
【００２６】
個別端末設備４は、複数の内部ラインで集合ルータに接続されていることが可能である。例えば、第２の内部遠隔通信ライン６ｎ＋１が、集合ルータ２を、設備４に含まれ、集合タイプのサービスの同報通信によって端末装置１２にサービスを提供するポート・レプリケータ１１に接続する。レプリケータ１１は、個別ルータ８と同様の構造を有し、つまり、ＡＴＭセルの同報通信部とＡＴＭセルの収集部とを含み、セルの経路指定機能は、全く保証せず、したがって、互いに通信することができない端末装置１２間における互いの通信は、全く保証しない。レプリケータ１１は、自らの出力ポートのそれぞれからの情報だけしか同報通信しない。端末装置１２に向けて同報通信される情報のプライバシーを確実にするため、レプリケータ１１が接続されている内部遠隔通信ライン６ｎ＋１は、単一方向であり、ＡＴＭセルが、レプリケータ１１によって集合ルータ２に向けて転送されることは全くない。
【００２７】
レプリケータ１１は、図１で示した双方向レプリケータ８１と同様に、個別ルータ８の下流に配置することも含め、カスケード式に配置することができる。
【００２８】
また、図１で示すとおり、クライアント専用集合端末設備１は、個別設備４を所有するクライアント間で共有されるリソースも含むことが可能である。この共用リソースは、とりわけ、いくつかは、各々、内部遠隔通信ライン６２、６Ｎで接続されていることが可能であり、他のいくつかは、個別設備４における内部ループ１０のように、ループを形成する遠隔通信ラインでカスケード式に接続されていることが可能な共用端末装置１３である。共用端末装置１３は、直接の、または個別設備４の端末装置７からの、あるいは、設備１内に一時的に存在する許可された訪問クライアントの移動端末装置からの、集合管理部３によって許可された集合設備におけるすべてのクライアントにサービスを提供する「固定」端末装置を構成する。端末装置７と同様に、端末装置１３は、集合設備１内部の伝送形式に適合するネットワーク・インターフェースを既に備えているのでない場合、ＡＴＭセルを受信し、挿入し、中継するためのアダプタを含む。
【００２９】
例えば、共用端末装置１３は、プリンタ、ファクシミリ装置、建物の門番装置、洗濯機、またはサービス・アプリケーションのサーバである。
【００３０】
その他の共用端末装置１４が、個別設備４におけるレプリケータ１１および端末装置１２と同様の仕方で、レプリケータ１５を介して集合ルータ２に接続されていることが可能である。端末装置１４は、例えば、テレビジョン受信機、または設備１に関連する集合セットを監視する受信機である。
【００３１】
集合設備１内部の遠隔通信ライン６ｎまたは個別設備４内部の遠隔通信ライン１０に関しては、一対の金属線によって、あるいはモノモードまたはマルチモードまたはプラスチックの光ファイバによって構成されていることが可能であり、あるいは、少なくとも部分的に無線チャネルに構成されていることが可能である。例えば、遠隔通信ライン６ｎの速度１０は、３２Ｍｂｉｔ／秒であり、受信では２進コード変換５Ｂ−４Ｂの後、また送信では２進コード変換４Ｂ−５Ｂの後、集合ルータ２内部、または個別ルータ８内部、またはレプリケータ１１、１５内部の送信／受信カップラの下流で、（４／５）３２＝２５．６Ｍｂｉｔ／秒の所定の速度に対応する。他の変形形態によれば、ラインの速度は、より高速であること、例えば、１５５．５２Ｍｂｉｔ／秒に等しいことが可能であり、コード変換は、８Ｂ−１０Ｂタイプのものであり、セルは、２７セルのフレームで区切られていることが可能である。
【００３２】
ＡＴＭセルのあるフィールドが、本発明の集合ルータ２および集合管理部３において処理されるものと理解して、図３のステップＥ２で示すセルＣ１に関連して、以下にＡＴＭセルの形式について確認しておく。ＡＴＭセルは、５オクテットのヘッダＥＮと、４８オクテットの一定サイズを有する有効ロード（ペイロード）を構成するデータ・フィールドＣＤとを含む。
【００３３】
ヘッダの第１のフィールドは、一般的フロー制御ＧＦＣ（Ｇｅｎｅｒｉｃ  Ｆｌｏｗ  Ｃｏｎｔｒｏｌ）に関し、４ビットを有する。
【００３４】
セルのヘッダの後続する６つの半オクテットは、１オクテットの仮想コンジットの識別子ＶＰＩ（Ｖｉｒｔｕａｌ  Ｐａｔｈ  Ｉｄｅｎｔｉｆｉｅｒ）と、２オクテットの仮想チャネルの識別子ＶＣＩ（Ｖｉｒｔｕａｌ  Ｃｈａｎｎｅｌ  Ｉｄｅｎｔｉｆｉｅｒ）とを含む経路指定アドレスのフィールドＶＰＩ／ＶＣＩによって占められる。例えば、集合設備１において、仮想コンジットは、内部遠隔通信ライン６ｎによって構成され、またこのラインにおける仮想チャネルは、以下で見るとおり、集合管理部３により、このラインによるサービスを受ける端末装置との双方向通信に割り当てられる。別の例によれば、識別子ＶＰＩは、仮想チャネルの識別子ＶＣＩが、管理部３によって動的に割り振られる複数の内部遠隔通信ラインの集合を指示する。さらに別の例によれば、所定の仮想コンジットの単一の識別子ＶＰＩが、集合設備に割り当てられ、管理部３は、集合設備内部のライン６１ないし６Ｎに対する、その所定の識別子ＶＰＩで指示されるコンジットの仮想チャネルの識別子ＶＣＩの割振りを管理する。
【００３５】
他の変形形態によれば、設備１内部の仮想チャネルに関連する識別子ＶＰＩおよびＶＣＩは、３オクテットのアドレス・フィールドＶＰＩ／ＶＣＩの一部分だけしか占有しない。
【００３６】
ヘッダの第４のオクテットの第２の半オクテットは、本発明には関わらない３つのフィールドＰＴ、ＲＥＳ、およびＣＬＰを含む。
【００３７】
ＡＴＭセルのヘッダの最後で、第５のオクテットは、ヘッダ上の誤りを制御するフィールドＨＥＣ（Ｈｅａｄｅｒ  Ｅｒｒｏｒ  Ｃｏｎｔｒｏｌ）を構成する。セルを送信する前に、フィールドＨＥＣの内容が、そのセルの最初の４オクテットとの関係で所定のアルゴリズムに従って計算される。セルを受信した後、フィールドＨＥＣは、受信されたセルのヘッダにおける簡単な誤りを訂正し、セル中で複数の誤りが検出された場合、または同じ論理チャネルＶＰＩ／ＶＣＩからの所定の数の連続するセル中で誤りが検出された場合、そのセルを拒否するのに役立つ。また、正しいとき、フィールドＨＥＣは、セルの区切りとしても役立つ。
【００３８】
以下では、とりわけ集合ルータ２または集合管理部３を通過するＡＴＭセル中のフィールドＨＥＣは、とりわけ経路指定アドレスのフィールドＶＰＩ／ＶＣＩが変更される、または置換される、または翻訳されるたびに毎回、再計算されるものと想定する。
【００３９】
設備においてセルのデータ・フィールドＣＤは、本発明により、経路指定アドレス、ポート番号ＮＰ、端末装置の識別子ＮＳＡＰなどの、端末装置または通信の初期設定のためのあるパラメータを搬送するのに役立ち、また制御フィールドＣＣは、共通機能を有する端末装置の要求を表すクラスの識別子ＩＣＤＥまたはキーワード、端末装置の所在場所の識別子ＩＬ、端末装置のリストＬＴＤＥ、選択された要求を受ける側の端末装置の指示、要求またはコマンドまたは確認応答、最後にデータ・フィールドの完全性を確認するための制御ワードＭＣ（チェックサム）も含むことが可能である。
【００４０】
図３を参照すると、集合ルータ２が、基本的に、集合設備１内部の遠隔通信ライン６１ないし６Ｎの側で、送信／受信カップラ２０１ないし２０Ｎと、所定の経路指定アドレスを検出する手段２１１〜２１４を含み、また集合設備外部の遠隔通信ライン５１ないし５Ｍの側で、送信／受信カップラ２２１ないし２２Ｎと、所定の経路指定アドレスを検出する手段２３１〜２３４を含み、また論理チャネル制御手段２４１〜２４２と、前述したセット２０１〜２０Ｎ、２１１〜２１４と２２１〜２２Ｍ、２３１〜２３４の間で集合ルータ２の中核に配置されたアドレス指定手段２５〜２６とを含み、集合管理部３によって管理される経路指定テーブルに従って内部ラインと外部ラインの間でＡＴＭセルを経路指定し、また内部ライン間でＡＴＭセルを経路指定するようになっている。
【００４１】
１≦ｎ≦Ｎおよび１≦ｍ≦Ｍである各送信／受信カップラ２０ｎ、２０ｍが、送信カップラと受信カップラとを含む。送信カップラは、集合ルータ２内部の送信バスＢＥＩ、ＢＥＥからのＡＴＭセルを、それぞれ内部側の伝送ライン６ｎおよび外部側の伝送ライン５ｍに接続された出力ポートに向けて転送する。この転送の際、送信カップラは、セルの各オクテットをシリアル化し、場合により、セルをフレームに入れ、送信するセルのフローにスクランブルをかけ、コード変換を行う。これに相応して、受信カップラは、それぞれ内部側の伝送ライン６ｎおよび外部側の伝送ライン５ｍからのセルを、集合ルータ内部の受信バスＢＲＩ、ＢＲＥに向けて転送する。詳細には、受信カップラは、受信されたセルのフローをコード変換し、スクランブル解除を行い、場合により、フレームの構成をはずし、各オクテットをパラレル形式にする。
【００４２】
オクテットごとのＡＴＭセルの読取りおよび書込みは、セルを交換する手段に含まれるスイッチ・シーケンサ２４２によって生成される送信制御信号および受信制御信号によって巡回式に駆動される。このシーケンサは、集合ルータの時間基準（図示せず）に密接に結び付いている。
【００４３】
内部側の送信バスＢＥＩに送られたセルは、送信制御信号ＥＩ１ないしＥＩＮの制御の下で送信カップラ２０１ないし２０Ｎにおいて巡回式に読み取られる。受信カップラ２０１ないし２０Ｎによって受信されたセルは、受信制御信号ＲＩ１ないしＲＩＮの制御の下で内部側の受信バスＢＲＩに巡回式に書き込まれる。同様に、集合設備１に外部の側で、送信カップラ２２１ないし２２Ｍが、送信制御信号ＥＥ１ないしＥＥＭの制御の下で外部側の送信バスＢＥＥにおいてセルを巡回式に読み取り、また受信制御信号ＲＥ１ないしＲＥＭの制御の下で、受信カップラ２２１ないし２２Ｍによって受信されたセルが、外部側の受信バスＢＲＥに書き込まれる。
【００４４】
受信カップラ中に配置されたＦＩＦＯバッファ・メモリが、受信バスＢＲＩおよびＢＲＥの入力で、集合設備の内部から来るものでも、また集合設備の外部から来るものでも、集合ルータ２に着信するＡＴＭセルのトラフィックに輻輳が生じた場合、それを吸収する。
【００４５】
集合設備側の所定の経路指定アドレスを検出する各手段は、アクセス網側と同様に、基本的に、管理部のアドレスの検出器２１１、２３１、予約された経路指定アドレスの検出器２１２、２３２、起点ポートにマークを付ける回路２１３、２３３、およびマルチプレクサ２１４、２３４を含む。
【００４６】
管理部のアドレスの検出器２１１、２３１は、集合管理部３のアドレスを記憶しており、このアドレスは、より明確にすると、集合管理部３にサービスを提供する内部通信ライン６Ｒに割り振られた仮想コンジットの識別子ＶＰＩＲによって構成されるものと想定され、したがって、カップラ２０Ｒによって実現される集合ルータのポートを特定する。アドレスＶＰＩＲは、起点でルータの検出器２１１、２３１中のメモリに書き込まれるか、またはルータを初期設定する段階のときに、検出器２１１、２３１に書き込むために管理部３によってルータ２に伝送される。
【００４７】
既に述べたとおり、任意の内部ライン６１ないし６Ｎが、集合管理部３を集合ルータ２に接続し、したがって、先験的には、任意の経路指定アドレスＶＰＩＲ／ＶＣＩＲを管理部３に割り当てることができる。検出器２１１、２３１においてＶＰＩＲを集合管理部３に事前に割り当て、また、より一般的には、複数の予約された経路指定アドレスＶＰＩＲ／ＶＣＩＲを管理部に割り振って、とりわけサービスの品質を区別するようにすることにより、管理部に向けられた通信を目的とする論理チャネルを、例えば、個別端末設備４、または共用端末装置１３、またはレプリケータ１５に割り振ろうとする後の試みが回避される。
【００４８】
予約された経路指定アドレスの検出器２１２、２３２は、集合管理部３に予約され、ルータ２により予約されたライン６Ｒを介して管理部３に転送されるセル中で、管理部３の識別子を伴う予約された経路指定アドレスＶＰＩＲ／ＶＣＩＲを形成する、仮想チャネルのアドレスＶＣＩＲを記憶している。管理部に予約された経路指定アドレスＶＰＩＲ／ＶＣＩＲは、最初、各端末装置７、１３のメモリ中に、集合設備１における各端末装置７、１３の構成の際に、動作させるのに先立って導入される。したがって、検出器２１１〜２１２、２３１〜２３２は、受信バスＢＲＩ、ＢＲＥにおいて、例えば、端末装置の電源投入時に、または端末装置によるコールを確立する要求の際に、または、例えば、内部端末装置と通信する目的、または管理部に特定のアプリケーションをダウンロードする目的のアクセス網からの管理部のコールに関して、端末装置７、１３によって伝送されるセルのアドレス・フィールドに含まれる経路指定アドレスＶＰＩＲ／ＶＣＩＲを検出する。
【００４９】
好ましくは、管理部に予約された複数の経路指定アドレスＶＰＩＲ／ＶＣＩＲが、管理部、端末装置、およびアプリケーションに関連するそれぞれのアクションに割り振られるような仕方で提供される。
【００５０】
したがって、検出器２１１〜２１２、２３１〜２３２は、それぞれのバスＢＲＩ、ＢＲＥを調べて、受信されたＡＴＭセル中で経路指定アドレスのフィールドを検出し、そのアドレスを記憶されている予約された経路指定アドレスＶＰＩＲ／ＶＣＩＲと比較して、これにより、受信されたセル中で、記憶されている予約されたアドレスとは異なるあらゆる経路指定アドレスを検出する。異なっている場合、受信されたセル中の知られていない経路指定アドレスは、アドレス指定手段２５〜２６に伝送して、そのアドレスが、アドレス指定テーブルに含まれているのを確認するようにする。含まれていない場合、アドレス指定手段は、検出器２１１〜２１２、２３１〜２３２において、知られていない経路指定アドレスを予約されたアドレスＶＰＩＲ／ＶＣＩＲの所定の１つで置き換えて、対応するセルが、集合管理部３に伝送されるようにすることを命令する。
【００５１】
起点ポートにマークを付ける回路２１３、２３３は、起点ポートＮＰ、つまり検出された予約の経路指定アドレスＶＰＩＲ／ＶＣＩＲを含む、または知られていない経路指定アドレスが検出された後のそのようなアドレスを含むセルが経由して受信された受信カップラ２０１ないし２０Ｎ、２２１ないし２２Ｍを特定する。マークを付ける回路２１３または２３３は、受信されたセルのデータ・フィールドの第１のオクテット中に、対応する受信カップラ２０ｎまたは２２ｍのポート番号ＮＰ＝ｎまたはＮＰ＝ｍを導入する。起点ポートにマークを付けることは、端末装置が予約されたアドレスを伴うセルを伝送した起点ポートに向けて、管理部が、応答のセルを返送するのに役立つ。
【００５２】
複数のルータ２が、例えば、階のレベル、個別住居のレベル、および部屋のレベルでカスケード式になっているとき、各ルータは、階、個別住居、または階にサービスを提供する内部ラインに対応するポート番号でセルにマークを付け、したがって、集合管理部３に接続されたルータは、３つのポート番号でマークが付けられたセルを伝送する。
【００５３】
関連する受信カップラ２０Ｒから来る、集合管理部３によって送信されるセルに関しては、全くマーク付けが行われない。
【００５４】
マルチプレクサ２１４、２３４は、起点ポート２１３、２３３にマークを付ける回路と全く同様に、セルのデータ・フィールドの開始にセルの第６のオクテットとして各セル中でマーク付けされるべき起点ポートの番号を導入するように、経路指定アドレスの検出器２１１〜２１２、２３１〜２３２によって制御される。万一の場合、検出器２１１〜２１２、２３１〜２３２が、マルチプレクサ２１４、２３４を制御して、アドレス指定手段２５〜２６の制御の下で、知られていない経路指定アドレスの代わりに、予約された経路指定アドレスを導入するようにする。
【００５５】
論理チャネルを交換する手段は、スイッチ・シーケンサ２４２に関連する相互接続マトリックス２４１を含む。相互接続マトリックス２４１は、主に、受信バスＢＲＩおよびＢＲＥによって受信されたＡＴＭセル中の経路指定アドレスＶＰＩ／ＶＣＩを、バスＢＥＩおよびＢＥＥにおいてそのセルをそれぞれ送信する前に、翻訳された経路指定アドレスに翻訳する。翻訳されたアドレスとの関係で、集合設備１に内部の側のバスＢＲＩによって受信されたセルが、２つの端末装置７、１３、または１つの端末装置と集合管理部３が通信しているとき、やはり集合設備側の送信バスＢＥＩに向けられるか、あるいは１つの端末装置が、その設備の外部と通信するため、アクセス網ＲＡ１ないしＲＡＭの側の送信バスＢＥＥに向けられる。
【００５６】
スイッチ・シーケンサ２４２は、翻訳された経路指定アドレスを伴うセルのスイッチングとの関係で、それぞれの受信制御信号ＲＩ１ないしＲＩＮ、およびＲＥ１ないしＲＥＭを生成して、受信カップラ２０１ないし２０Ｎ、および２２１ないし２２Ｍを順次に開き、またそれぞれの送信制御信号ＥＩ１ないしＥＩＮ、およびＥＥ１ないしＥＥＭを生成して、送信カップラを順次に開く。また、受信制御信号ＲＩ１ないしＲＩＮ、ＲＥ１ないしＲＥＭは、それぞれのマーク付けを行う回路２１３、２３３にも適用して、この回路が、起点ポートに、すなわち、マーク付けされるべき受信されたセルが経由した起点の受信カップラにマークを付けるようにする。
【００５７】
相互接続マトリックス２４１における経路指定アドレスＶＰＩ／ＶＣＩの翻訳は、基本的にアドレス指定手段を構成するアドレス指定テーブルを管理する回路２５中に記憶された経路指定アドレス間の対応との関係で行われる。
【００５８】
アドレス指定テーブルは、集合装置の内部と集合装置の外部の間の通信のため、一般に、端末装置によって、または同様に、集合設備１から伝送されたセル中の経路指定アドレスＶＰＩ／ＶＣＩを、アクセス網ＲＡ１ないしＲＡＭ側の宛先の論理チャネルを特定する経路指定アドレスＶＰＩ／ＶＣＩに対応させ、また逆に、伝送の逆方向に沿って対応させる。
【００５９】
経路指定アドレスの対応は、管理部に予約されたアドレスには関係せず、常時ライン、およびコールを確立する際に集合管理部３によって確立される一時的ラインに関係する。常時ラインまたは一時的ラインに割り振られる１組のアドレスは、２つの内部伝送ライン６１ないし６Ｎにおける仮想チャネル群、または外部アクセス網のライン５１ないし５Ｍにおける仮想チャネルと内部遠隔通信ライン６１ないし６Ｎにおける仮想チャネルを双方向で関連付ける。
【００６０】
いくつかの用途に関しては、専用遠隔通信リンクと同様に、常時ラインが必要である。例えば、アクセス網ＲＡ１ないしＲＡＭのどれかでサーバによって遠隔で監視される家宅侵入を検知する常時カメラを端末装置として接続するため、常時ラインが使用される。
【００６１】
集合設備を呼び出すことができ、したがって、集合設備に含まれるあらゆる端末装置を呼び出すことができるには、集合管理部３と各アクセス網ＲＡｍの間で、常時ラインが不可欠である。
【００６２】
一時的ラインは、通常、少なくとも１つの端末装置との、または同様に装置１からの有限期間中の電話通信またはデータ通信に関する。経路指定アドレスＶＰＩ／ＶＣＩ、または、より正確には、論理チャネルが、図３に関連して以下で説明するコールを確立する要求の際、設備１において利用可能な論理チャネルのリソースとの関係で、集合管理部３によって端末装置に割り当てられる。
【００６３】
一時的ラインは、このラインを借りる複数の端末装置によって時間的に共有される。対応する１対の経路指定アドレスが、通常の電話機におけるラインの占有とラインの開放と同様の仕方で、仮想チャネルの占有と仮想チャネルの開放の間でそのような端末装置に割り当てられる。
【００６４】
経路指定アドレスの対応する１対、つまり、１対の論理チャネルは、ラインを確立する要求が行われるにつれ、集合管理部３によってプログラミングされた経路指定テーブル中に動的な仕方で永久に、または一時的に書き込まれ、好ましくは、既に述べたとおり、予約された経路指定アドレスの優先順位に従って書き込まれる。確立された常時の、または一時的な各ラインに関して、受信されたセル中の経路指定アドレスの翻訳が、その受信されたセルの経路指定アドレスを経路指定テーブルを読み取るアドレスとして適用して、後に送信することができるセルのヘッダ中に挿入されるべき翻訳された対応する経路指定アドレスを読み取ることで、相互接続マトリックス２４１を介して自動的に達せられる。セルは、集合管理部３を経由することなく、あるポートから別のポートに搬送される。
【００６５】
したがって、アドレス指定テーブルは、集合設備１外部のアクセス網ＲＡ１ないしＲＡＭのアドレス指定の制約を免れる。集合設備のマネージャは、アクセス・プロバイダとの関係で基本的に異なる可能性がある外部アクセス網のアドレス指定の制約を先験的に気にかける必要なしに、集合管理部３において、少なくとも設備を起動する際、設備内部の論理チャネルに関する経路指定アドレスＶＰＩ／ＶＣＩを割り振ることができる。したがって、管理部３によってプログラミングされた管理回路２５中のアドレス指定テーブルに依存する相互接続マトリックス２４１における経路指定アドレスの翻訳は、集合設備の外部におけるアドレス指定に対して、集合設備内部のアドレス指定の独立を確実にする。
【００６６】
また、アドレス指定手段は、アドレス指定テーブルを保存する、すなわち、受信されるセルの経路指定アドレスと送信されるセルの経路指定アドレスの間の対応を保存するための不揮発性メモリ２６も含む。したがって、集合ルータのレベルで電力が遮断された場合、アドレス指定テーブルは、メモリ２６中に保存されている。保存メモリ２６の更新は、新しいアドレスが導入された後、またはアドレス指定テーブル２５中で既存のアドレスが変更された後、回路内部のアドレス指定テーブル２５のメモリを利用しないセルの処理間の時点で行われる。また、保存メモリ２６は、集合管理部３に接続されたライン６Ｒに対応する仮想コンジットＶＰＩＲの識別子、ならびに管理部との通信に予約された仮想チャネルＶＣＩＲのアドレスのリストも記憶する。
【００６７】
要するに、主に３つのタイプの経路指定アドレスＶＰＩ／ＶＣＩが、集合端末設備１において搬送されるセル中で提供される。
【００６８】
第１タイプの経路指定アドレスは、端末装置７、１３と設備に外部の端末装置の間の、つまり、内部遠隔通信ライン６１ないし６Ｎの１つにおける仮想チャネルと外部遠隔通信ライン５１ないし５Ｍの１つ、または内部ラインの１つにおける仮想チャネルの間の、アドレス指定テーブル２５中に記憶された経路指定アドレスの対応に従う、つまり、予約されておらず、テーブルによって知られている経路指定アドレスに依存する、管理部３によって許可された常時通信または一時的通信のための「標準の」ＡＴＭセルに関する。
【００６９】
第２のタイプの経路指定アドレスは、管理部３との対話のための、それぞれが予約されたアドレスＶＰＩＲ／ＶＣＩＲを含むＡＴＭセルに関する。
【００７０】
第３のタイプの経路指定アドレスは、経路指定テーブル２５の構成を宛先とし、管理部３によって送信されるＡＴＭセルに関する。
【００７１】
次に図４を参照すると、管理部３は、基本的に、予約されたライン６Ｒに接続された送信／受信カップラ３０と、着信セルを管理する手段３１、３２、３３と、発信セルを管理する手段３３、３４、３５と、端末装置、端末装置との通信の経路指定、およびホーム・オートメーション・アプリケーションを管理するためのマルチプロセッサ手段３６、３７、３８とを含んでいる。管理部３は、例えば、プリンタに接続された、ＡＴＭネットワーク・カードを有するマイクロプロセッサの形態である。
【００７２】
管理部３中の送信／受信カップラ３０は、集合ルータ２のカップラ２０１ないし２０Ｎおよび２２１ないし２２Ｍと同様の機能を有する。詳細には、送信／受信カップラ３０は、予約されたライン６Ｒを介してルータ２によって送信された着信セルＣＥのフローにおけるクロックの取得との関係で管理部の時間基準を同期させる。
【００７３】
セルを管理する２つの手段は、予約されたセルの優先順位の標識ＩＰを、管理部との下り方向の通信および上り方向の通信に予約され、それぞれ、カップラ３０によって受信される着信セルＣＥの経路指定アドレスのフィールド、およびカップラ３０によって送信される発信セルＣＳの経路指定アドレスのフィールドに含まれる経路指定アドレスＶＰＩＲ／ＶＣＩＲに対応させる対応テーブルのメモリ３３を共通に有する。優先順位の標識は、例えば、優先順位ＩＰ１ないしＩＰＫの低い方から高い方へ順序付けられ、第１のバッファ・メモリおよび第２のバッファ・メモリの役割をするＫ個の着信セル待ち行列３２１ないし３２ＫおよびＫ個の発信セル待ち行列３４１ないし３４Ｋを指示する。
【００７４】
着信セルを管理する手段において、セル復号器−スイッチ３１が、カップラ３０によって受信された着信セルの経路指定アドレスのフィールドを、管理部３に向う上り方向の通信に予約され、テーブルのメモリ３３中で読み取られた経路指定アドレスＶＰＩＲ／ＶＣＩＲと比較する。次に、着信セルが、その着信セルに含まれる予約された経路指定アドレスに対応してメモリ３３中で読み取られ、テーブルのメモリ３３中で見出された、１≦ｋ≦Ｋである優先順位の標識ＩＰｋでアドレス指定される待ち行列３２ｋ中に書き込まれる。最高優先順位の標識でアドレス指定される待ち行列を読み取り、空にして、バスＢＣＥを介してマルチプロセッサ手段においてその順序に従ってセルを処理することから始めて、着信セルが、第１の待ち行列３２１ないし３２Ｋ中で読み取られる。
【００７５】
したがって、マルチプロセッサ手段３６、３７、３８は、最高優先順位の標識に関連するセルから始めて、やはり優先順位の標識に応じて送信すべき発信セルＣＳを生成するようにすることで、着信セルＣＥを処理する。
【００７６】
逆に、プロセッサ３８は、データ・バスＢＣＳを介してマルチプロセッサ手段３６、３７、３８によって生成された発信セルＣＳの経路指定アドレスのフィールドを、テーブルのメモリ３３中で読み取られた予約された経路指定アドレスと比較する。各発信セルが、プロセッサ３８に接続された優先順位アドレス指定バスＢＡＰの制御の下で、発信セルの経路指定アドレスのフィールドに含まれる予約された経路指定アドレスＶＰＩＲ／ＶＣＩＲに対応してメモリ３３中で読み取られた優先順位の標識ＩＰｋに応じて待ち行列３４ｋ中に記憶される。第２の待ち行列３４１ないし３４Ｋの出力と送信カップラ３０の入力の間の送信マルチプレクサ３５は、少なくとも１つの発信セルを含み、最高優先順位の標識でアドレス指定された第２の待ち行列３４１ないし３４Ｋを読み取り、空にすることから始めて、優先順位の標識の高い方から低い方への順序で発信セルＣＳを送信する。
【００７７】
変形形態では、着信セル中の予約された経路指定アドレスに関する優先順位の標識の数は、発信セル中の予約された経路指定アドレスに関する優先順位の標識の数とは異なる。というのは、先験的に、管理部から端末装置への相異なる問合せおよび応答の優先順位の性質および数が、端末装置から管理部への相異なる応答および問合せの優先順位の性質および数とは必ずしも同一ではないからである。
【００７８】
例えば、通常の端末装置からアクセス網への通信の要求は、ホーム・オートメーション端末装置によって伝送される動作状態の定期的メッセージに対しては優先されるが、火災検知器によって伝送された警報メッセージに対しては優先されない。
【００７９】
優先順位は、ＡＴＭモードのサービス品質が守られるようにする所定のアプリケーションおよび／またはアプリケーションの所定の段階のアクションも含め、着信セルＣＥ中で管理部に要求されるアクション、および発信セルＣＳ中で端末装置に要求されるアクションに依存する。
【００８０】
予約されたアドレスＶＰＩＲ／ＶＣＩＲに関して管理部３においてセルを処理する優先順位は、ＡＴＭセルのヘッダに含まれる優先順位損失ビットＣＬＰ（Ｃｅｌｌ  Ｌｏｓｓ  Ｐｒｉｏｒｉｔｙ）とは独立である。
【００８１】
集合管理部中のマルチプロセッサ手段は、基本的に、マイクロプロセッサに統合することができる３つのプロセッサ３６、３７、および３８を含む。これらのプロセッサは、プロセッサによって処理されるアドレス、識別子および標識などの端末装置の様々なパラメータに関するデータベース３９を共通で管理する。
【００８２】
プロセッサ３６は、集合設備におけるあらゆる端末装置７、１３、または同様の端末手段９、１１、１５に関して、端末装置ＴＥで一般に示される管理部に宣言された各端末装置の識別および動作状態を管理する。データベース３９中で、設備において起動された各端末装置ＴＥが、以下で見るとおり、とりわけ、それぞれの識別子ＮＳＡＰ（Ｎｅｔｗｏｒｋ  Ｓｅｒｖｉｃｅ  Ａｃｃｅｓｓ  Ｐｏｉｎｔ）、および端末装置によって送信された着信セルＣＥが経由する集合ルータ２の受信カップラ２０ｎ、２０ｍのポート番号ＮＰで識別されて特定され、また、第３のプロセッサ３８によって主に管理される複数のパラメータおよび経路指定アドレスにアドレス指定される。
【００８３】
端末装置ＴＥの固有識別子ＮＳＡＰは、着信セルのデータ・フィールド（ペイロード）ＣＤに含まれる。端末の識別子ＮＳＡＰは、通常、ポート番号ＮＰによって占有されるデータ・フィールドの１つまたは複数の第１のオクテットの後に、２０オクテットの長さで続く。
【００８４】
識別子ＮＳＡＰはそれぞれ、ＡＴＭネットワーク中の端末装置を指示する。通常、識別子ＮＳＡＰは、権限のある者によって定義されている識別子の形式を示す最初の３オクテットと、ネットワークの事業者のＡＴＭアドレス指定プランに関して集合設備１を指示する「サブネットワーク」のアドレスを含む１０オクテットと、端末装置自体を識別し、しばしば、その端末装置が含むＡＴＭインターフェースまたはＡＴＭアダプタにおいて決定的に固定された６オクテットと、先行する１９オクテットによって識別された端末装置における論理タスクをアドレス指定する最後の１オクテットとを含む。
【００８５】
端末装置自体を特定する６オクテットは、端末装置の製造業者の識別子、端末装置のタイプの識別子ＩＴ、および通し番号をＭＡＣ（Ｍｅｄｉｕｍ  Ａｃｃｅｓｓ  Ｃｏｎｔｒｏｌ）アドレスと同様の仕方で含む。
【００８６】
また、プロセッサ３６は、集合設備内部の端末装置が最初に起動された後、集合管理部のマネージャによって捕捉されて、データベース３９に書き込まれるクラスの標識ＩＣも管理する。クラスの標識ＩＣは、ＭＡＣアドレス中のＩＴタイプの標識よりも正確ではない仕方で、端末装置が、要求を受ける側の端末装置として、要求側の端末装置の問合せに応答して提供することができる１つまたは複数の所定の機能を定義する。ただし、変形形態では、その後、ＩＴタイプの標識で端末装置の機能の定義に関するクラスの標識ＩＣを置き換えること、または補完することが考慮される。
【００８７】
例えば、ファクシミリ、印刷、およびスキャナを提供するマルチ機能の端末装置は、少なくともスキャナの機能が極めて特定のアクセス権によってしかアクセス可能でない場合、マネージャにより、前述した３つの機能のうち１つまたは２つだけしかグループ化しないクラスの標識で分類される。その他のクラス標識は、例えば、暖房機能、照明機能、監視機能、家庭サービス機能、照会サービス機能またはデータベース機能等を示す。複数のクラス標識を同一の端末装置に関連付けることができる。
【００８８】
アプリケーションまたはサービスを含め、要求される所定の機能は、集合管理部自体によって、とりわけプロセッサ３７および３８を介して供与される特定の機能であることが可能である。例えば、各内部端末装置の製造業者によって供与されるコントロール・ドライバが、端末装置の識別子ＮＳＡＰに関連して、端末装置が起動される際に管理部３の特定のＲＡＭメモリの一部分に自動的に実装される。このドライバは、電話機、テレビ電話機、モデムなど様々なタイプの遠隔通信の端末装置のための遠隔制御、ならびに要求されたサービスの表示可能リスト中で端末を記号で表すため、端末装置の名前および／またはイメージのグラフィックス表示モードに関わることができる。
【００８９】
端末装置ＴＥの動作状態は、端末装置ＴＥによって送信され、最初の起動に予約された経路指定アドレスを含む着信セルを受信したときにプロセッサ３６によってデータベース３９中に記憶され、次に、端末装置ＴＥによって送信され、プロセッサ３６によって送信された端末装置ＴＥの定期的問合せ（ポーリング）に予約された発信セルの確認応答に予約された着信セルを受信したときに記憶される。端末装置ＴＥが最初に起動されたとき、プロセッサ３６が、利用可能な経路指定アドレスＶＰＩＲＴ／ＶＣＩＲＴを端末装置ＴＥのポート番号ＮＰに対応させて、そのアドレスＶＰＩＲＴ／ＶＣＩＲＴを、端末装置を宛先とする管理部からのあらゆる発信セルＣＳ中に含めるようにする。問合せのセルに応答して、プロセッサ３６が、端末装置ＴＥからもはや確認応答のセルを受信しない場合、比較的長い期間にわたる端末装置ＴＥの停止の後、プロセッサ３６は、管理部から別の端末装置に向けての下り方向の通信のために経路指定アドレスＶＰＩＲＴ／ＶＣＩＲＴをデータベース３９中で利用可能にする。端末装置ＴＥは、長い期間が満了したとき、次回に電源が投入された際に最初の起動の手続きを行う。
【００９０】
第２のプロセッサ３７は、集合設備１におけるローカルのホーム・オートメーション・アプリケーションを管理する。プロセッサ３７は、管理部のマネージャが、集合設備におけるホーム・オートメーション端末装置を選択し、管理し、制御するのを可能にする。ホーム・オートメーション端末装置は、門番装置、監視カメラ、侵入感知装置、煙感知装置、ランプ、放熱器またはボイラ、ロール・シャッタ等とすることができる。集合管理部３のディスプレイが、端末装置のアイコンまたは記号などのグラフィックス表示を表示し、また形状、タッチ、および／またはグラフィックス・アイテムのグラフィックス表示を表示する。マネージャは、プロセッサ３７を介して、カメラの向き、放熱器のサーモスタットの調整、ランプの照明の強度などのホーム・オートメーション端末装置の機能を制御する。したがって、プロセッサ３７は、ホーム・オートメーション端末装置を宛先とし、コマンドを含むデータ・フィールドを有する発信セルＣＳを生成する。また、管理部に着信するコマンドの確認応答のセルも、プロセッサ３７によって処理される。
【００９１】
第３のプロセッサ３８は、内部コールおよび外部コール、つまり、内部端末装置からの、またアクセス網ＲＡ１ないしＲＡＭから来る外部端末装置からのすべてのコール、経路指定アドレス、および優先順位の標識ＩＰ１ないしＩＰＫ、ならびに集合設備１の端末装置のディレクトリを管理する。
【００９２】
発信コールおよび着信コールは、集合管理部３を介して強制的に確立される。
【００９３】
コールが、要求側の内部端末装置ＴＥによって伝送された、コールの要求に予約された経路指定アドレスを含む経路指定フィールドを有する着信セルＣＳの受信によって開始されている場合、プロセッサ３８は、所定の認証アルゴリズムに従ってその要求側の端末装置を認証する。管理部３のマネージャによって要求側の端末装置ＴＥに事前に割り振られているアクセス権ＤＡに応じて、また内部論理チャネルの可用性に応じて、プロセッサ３８は、ルータ２と内部端末装置の間の内部論理チャネルを指示する経路指定アドレスＶＰＩＴＥ／ＶＣＩＴＥを割り振り、このアドレスＶＰＩＴＥ／ＶＣＩＴＥに、ルータ２から内部または外部の遠隔の要求を受けた側の端末装置に向う内部論理チャネルまたは外部論理チャネルを指示する別の経路指定アドレスＶＰＩ／ＶＣＩを対応させる。経路指定アドレスＶＰＩＴＥ／ＶＣＩＴＥが、着信コールに関して要求を受ける側になる端末装置ＴＥに同様の仕方で割り振られる。
【００９４】
したがって、プロセッサ３８は、集合ルータの経路指定テーブル２５と同様の経路指定アドレスのペアのテーブルを管理し、したがって、各コール要求の後、経路指定テーブル２５を更新して、ルータ２が、管理部３によって生成された経路指定の設定を実行し、２つの内部端末装置間で、または内部端末装置と外部端末装置の間で、従来の電話通信またはデータ通信を経路指定するようにする。
【００９５】
２つの経路指定アドレスの間の上記の対応は、プロセッサ３６によって生成され、管理部３から発信され、経路指定テーブルを管理する回路２５によって処理される経路指定テーブルを構成するセルを介して、集合ルータの経路指定テーブル中に転記される。発信される構成するセルのヘッダ中のアドレス指定フィールドは、回路２５のアドレス指定テーブル中に、内部経路指定アドレスと外部経路指定アドレスの新しいペア、または内部経路指定アドレスの新しいペアが導入されるように制御するための第１の予約されたアドレスＶＰＩＲ１／ＶＣＩＲ１を含むか、あるいは内部経路指定アドレスと外部経路指定アドレスのペアにおいて、または内部経路指定アドレスのペアにおいて内部経路指定アドレス変更するための第２の予約されたアドレスＶＰＩＲ２／ＶＣＩＲ２を含む。
【００９６】
また、プロセッサ３８は、バスＢＡＰを介して予約された経路指定アドレスＶＰＩＲ／ＶＣＩＲを優先順位の標識ＩＰ１ないしＩＰＫに対応させるテーブルのメモリも管理する。テーブルのメモリ３３の対応は、最初、プログラミングされ、設備１が変化するにつれて管理部３のマネージャによってプロセッサ３８を介して更新される。プロセッサ３８は、自らの、また他の２つのプロセッサ３６および３７の並列マルチタスクの動作を管理して、優先順位の標識ＩＰ１ないしＩＰＫに応じて、実行中、優先順位のより低いタスクが自発的に中断されるという犠牲を払って優先的タスクが実行されるようにする。
【００９７】
また、プロセッサ３８は、端末装置のアクセス権ＤＡに依存する端末装置のディレクトリ、端末装置のクラスの標識ＩＣ、および端末装置の所在場所の標識ＩＬも管理する。
【００９８】
要求側の端末装置ＴＤＲに関連するアクセス権ＤＡは、ホーム・オートメーション端末装置、または共用端末装置などの要求を受ける側の端末装置ＴＤＥの１つまたは複数の所定の機能に対する、または要求を受ける側の端末装置におけるアプリケーションに対する、あるいはアクセス網によって供与されるサービスに対する全体的または部分的アクセスを表すものである。要求側の端末装置ＴＤＲのアクセス権ＤＡは、要求側の端末装置ＴＤＲが、最初の起動の際に管理部に対して自らを宣言した後、管理部３のマネージャによって割り振られ、更新されて、要求側の端末装置の識別子ＮＳＡＰに関連付けて、プロセッサ３８を介してデータベース３９中に記憶される。プロセッサ３８は、要求側の端末装置によって送信された着信する予約されたセルＣＥに応答して、このアクセス権ＤＡをデータベース３９中で読み取られた記憶されたクラス識別子ＩＣと比較して、アクセス権に適合するクラスの標識を提供する端末装置またはアプリケーションに対してのみ、要求側の端末装置からのアクセスを許可するようにする。
【００９９】
例えば、要求側の端末装置ＴＤＲのアクセス権は、要求を受ける側のホーム・オートメーション端末装置または共用端末装置の何らかの選択されたタイプに対応する端末装置において読取り／書込みアクセス、および／または所定の変更を行うためのアクセスを許可する。要求側の端末装置によって送信された着信セルＣＥのデータ・フィールドに含まれる要求を受ける側の端末装置のクラス標識ＩＣが、要求側の端末装置のアクセス権ＤＡによってアクセス不可能なあるタイプの要求を受ける側の端末装置を定義している場合、プロセッサ３８は、クラスＩＣの要求を受ける側の端末装置に対するアクセスを要求側の端末装置に禁止する。
【０１００】
要求側の端末装置が、「訪問移動」端末装置である場合、この端末装置は、設備の固定端末装置に関するのと同じ仕方でプロセッサ３６に対して自らを宣言する。管理部３のマネージャが、訪問移動端末装置に特定のアクセス権を付加して、プロセッサ３８が、集合設備の所定のリソースをその端末装置に提供するようにし、訪問移動端末装置によって要求された端末装置を識別するようにする。これにより、あらゆる不正アクセスが回避され、ことによると、訪問移動端末装置のユーザに料金請求を行うことが可能になる。
【０１０１】
第１の変形形態によれば、プロセッサ３８は、端末装置にサービスを提供する内部ライン６１ないし６Ｎを指示する集合ルータ２のポート番号ＮＰに対応してのみ、例えば、個別設備４における端末装置または共用端末装置に所在場所の標識ＩＬを自動的に割り振る。
【０１０２】
第２の変形形態によれば、アクセス権ＤＡと同様に内部端末装置にそれぞれ関連する所在場所の標識ＩＬが、集合設備における内部端末装置のそれぞれの起動の後、集合管理部のマネージャによって捕捉されて、プロセッサ３８を介してデータベース３９中に記憶される。端末装置が、設備において移動性のものである場合、新たに起動されるたびに毎回、関連する所在場所の標識が更新される。所在場所の標識ＩＬは、集合設備１における、または個別設備４における、例えば、個別住居に関する部屋、建物の階、さらには部屋中の正確な場所など、集合設備１の下位区分における関連する端末装置の比較的正確な所在場所を示す。
【０１０３】
第３の変形形態によれば、端末装置の所在場所の標識ＩＬが、端末装置のユーザによって捕捉されて、集合設備における端末装置の起動の際に、予約された経路指定アドレスを有する着信セルＣＥのデータ・フィールドＣＤの制御フィールドＣＣ中に含められる。次に、プロセッサ３８が、バスＢＣＥを介して着信セルから所在場所の標識ＩＬを抽出して、やはりその着信セルから抽出された端末装置の識別子ＮＳＡＰに関連付けて記憶する。
【０１０４】
実際には、要求側の端末装置ＴＤＲによって送信された要求を受ける側の端末装置ＴＤＥを探索する着信セルに対してプロセッサ３８によって準備される応答が、要求を受ける側の端末装置の標識ＩＣおよびＩＬにそれぞれ一致して、１つまたは複数の発信セル中で、探し出された要求を受ける側の端末装置の１つまたは複数の機能名、および探し出された要求を受ける側の端末装置が設置されている１つまたは複数の場所の名前を含む。また、この応答は、要求側の端末装置のアクセス権ＤＡの対応に応じて、要求を受ける側の端末装置に関連する「許可」メッセージまたは「禁止」メッセージも含む。したがって、データベース３９を備えたプロセッサ３８は、探索エンジンと等価であり、探索結果を示す表示可能な応答および／または音声応答を伝送する。例えば、クライアントは、端末装置において、集合設備のすべての共用プリンタのリストを知ることができ、あるいはＤＥＣＴの、またはデュアル・モードＤＥＣＴ／ＧＳＭのモバイル無線電話端末装置に関するＤＥＣＴ標準による付近の電話基地局のリストを知り、所在場所の標識に応じて最も近い基地局の付近に赴くことができる。
【０１０５】
要求側の端末装置ＴＤＲによって送信された着信セルＣＥにより要求を受ける側の端末装置ＴＤＥのネーム・コールが行われたとき、プロセッサ３８は、要求を受けた側の端末装置と同じクラスの端末装置を識別するリストを含む応答の発信セルＣＳを伝送し、あるいは、変形形態では、プロセッサ３８が、データベース３９中で要求された通りの端末装置の識別子を見出さなかった場合、要求側の端末装置の最も近くにある同じクラスの端末装置の識別子を含む応答の発信セルＣＳを伝送する。
【０１０６】
図５を参照すると、集合端末設備１に含まれる、本明細書では端末装置ＴＥで示す任意の端末装置７、１３または同様の端末手段９、１１、１５と集合管理部３の間の対話は、端末装置ＴＥが最初に起動された際、以下のステップＥ１ないしＥ７を含む。
【０１０７】
ステップＥ１で端末装置ＴＥに電源が投入された後、また端末装置ＴＥが接続されている設備内部のラインのレベルで同期が回復された後、端末装置ＴＥは、ステップＥ２で、集合ルータ２に認識ＡＴＭセルＣ１を送信する。セルＣ１の経路指定アドレスのフィールドは、集合設備１の任意の端末装置の起動だけに予約された経路指定アドレスＶＰＩＲ／ＶＣＩＲを含む。セルＣ１のデータ・フィールドＣＤは、端末装置ＴＥの固有識別子ＮＳＡＰを含む。
【０１０８】
次のステップＥ３で、集合ルータ２の対応するカップラ２０１ないし２０Ｎにおいて、端末装置によって送信されたセルＣ１が受信された後、受信バスＢＲＩにおけるセルＣ１のヘッダ中のアドレス指定フィールドが、検出器２１１および２１２によって読み取られ、検出器２１１および２１２は、そのフィールドにおいて、管理部３に割り振られた仮想コンジット６Ｒの識別子ＶＰＩＲ、および端末装置の起動に予約された仮想チャネルの識別子ＶＣＩＲを認識する。したがって、検出器２１１および２１２は、マークを付ける回路２１３に命令して、データ・フィールドの第１のオクテット中に、セルが経由して受信された受信カップラ２０１ないし２０Ｎに対応するポートの番号ＮＰを導入することで、セルＣ１にマークを付けるようにさせる。受信カップラは、シーケンサ２４２によって生成されたそれぞれの受信制御信号ＲＩ１ないしＲＩＮとの関係で特定される。したがって、マルチプレクサ２１４の出力で、Ｃ２で示されるマークを付けられた受信されたセルのデータ・フィールドの第１のオクテットは、対応する受信ポートのポート番号ＮＰによって占有される。
【０１０９】
ステップＥ４で、アドレス指定テーブル２５が、マークを付けられたセルＣ２が管理部に予約されたアドレスを含むのを認識して、マルチプレクサ２１４の出力から内部送信バスＢＥＩに向けて、集合管理部３に結合され、シーケンサ２４２によって開かれる送信カップラ２０Ｒの方向で、翻訳を行わない相互接続マトリックス２４１を介し、セルＣ２を経路指定する。
【０１１０】
ステップＥ５で、マークを付けられたセルＣ２が、管理部３によって処理されて端末装置の識別子ＮＳＡＰが読み取られ、ポート番号ＮＰが抽出されて、その識別子とポート番号が内部メモリ中で関連付けられるようになり、これにより、管理部が、設備において端末装置を探し出すことが可能になり、したがって、集合設備のユーザによって要求される分類に従って端末装置のリストを示すことが可能になる。
【０１１１】
ステップＥ６で、管理部３が、端末装置ＴＥに、つまり、ＮＳＡＰ−ＮＰのペアに、ポート番号ＮＰに対応する仮想コンジットＶＰＩＲＴの識別子を含む利用可能な経路指定アドレスＶＰＩＲＴ／ＶＣＩＲＴを割り振り、集合ルータの対応する送信カップラに向けてセルを返送するようにする。マークが付けられた受信されたセルＣ２に応答して、管理部３は、端末装置ＴＥに割り振られた経路指定アドレスＶＰＩＲＴ／ＶＣＩＲＴと、第２のオクテットから端末装置の識別子ＮＳＡＰを含むデータ・フィールドＣＤとを含むヘッダを有するマークの付けられていない確認応答ＡＴＭセルＣ３を伝送する。セルＣ３は、カップラ２０Ｒを介して管理部３によって伝送されるので、ルータ２において全くマーク付けを受けず、バスＢＲＩ、マルチプレクサ２１４、相互接続マトリックス２４１、および送信バスＢＥＩを経由して、とりわけ、前に割り振られた経路指定アドレスＶＣＩＲＴ／ＶＰＩＲＴに、つまり、起点ポートＮＰに対応し、端末装置ＴＥに間接または直接にサービスを提供する内部ライン６１ないし６Ｎにおける論理チャネルを示すアドレスに対応する、集合ルータの送信カップラ２０１および２０Ｎに向けて転送される。
【０１１２】
ステップＥ７で、また実際、ステップＥ２において認識セルＣ１を送信して以来、端末装置ＴＥは、自らが接続されているラインを常時、調べて、受信されるすべてのＡＴＭセルのデータ・フィールドを読み取り、これにより、端末装置の識別子の場所である２０オクテットを独自の端末装置識別子ＮＳＡＰと比較する。端末装置ＴＥは、ステップＥ６で、管理部によって伝送された確認応答セルＣ３中で識別子ＮＳＡＰを認識した場合、管理部３によって端末装置ＴＥに割り振られた、セルＣ３に含まれる経路指定アドレスＶＰＩＲＴ／ＶＣＩＲＴを記憶する。割り振られた経路指定アドレスＶＰＩ／ＶＣＩは、集合管理部３から端末装置ＴＥへの後のすべての下り向きの通信に関して、終始一貫して使用される。したがって、端末装置ＴＥの動作が停止されるか、または移動されない限り、管理部３との対話は、管理部３によって端末装置ＴＥに割り振られた経路指定アドレスＶＰＩＲＴ／ＶＣＩＲＴに対応する仮想チャネルにおける、管理部３から端末装置ＴＥに向かう下り方向に沿って伝送されるセルによって行われ、また管理部３に予約された、したがって集合ルータ２内部の検出器２１１および２１２によって知られている経路指定アドレスＶＰＩＲ／ＶＣＩＲに対応する仮想チャネルにおける上り方向に沿って端末装置ＴＥによって管理部３に伝送されるセルによって行われる。
【０１１３】
ステップＥ７の後、端末装置ＴＥを待機状態にする、または停止させることができる。
【０１１４】
後に、端末装置ＴＥが起動された後、端末装置ＴＥは、一時的ラインまたは常時ラインのために、設備におけるローカルの要求を受ける側の端末装置との発信コールの確立、またはアクセス網における遠隔の端末装置との発呼要求の確立を集合管理部３に要求し、ステップＥ１ないしＥ７と同様のステップが実行されるが、ローカルまたは遠隔の端末装置と双方向で通信するため、端末装置ＴＥへの利用可能な経路指定アドレスＶＰＩＴＥ／ＶＣＩＴＥの割振りが伴う。次に、ステップＥ６で、管理部３が、利用可能な経路指定アドレスＶＰＩＴＥ／ＶＣＩＴＥを、セル３のデータ・フィールド中に端末装置識別子ＮＳＡＰの後に続くように導入し、これが、次にステップＥ７で読み取られて、要求側の端末装置ＴＥ中に記憶される。
【０１１５】
プロセッサ３８は、アドレスＶＰＩＴＥ／ＶＣＩＴＥに、ローカルの端末装置に向う内部論理チャネルまたは遠隔の端末装置に向う外部論理チャネルの経路指定アドレスを対応させ、構成ＡＴＭセルを介して集合ルータ２中のアドレス指定テーブル２５を更新する。
【０１１６】
要求側の端末装置ＴＤＲと、基本的に集合管理部３中のプロセッサ３８およびデータベース３９との間の対話によって所定の機能のコールに関するディレクトリ照会の要求を処理することは、図６で示した主なステップＡ１ないしＡ１５を含む。
【０１１７】
端末装置ＴＤＲによって送信され、コールを確立する要求に予約された経路指定アドレスＶＰＩＲ／ＶＣＩＲを含む着信セルＣＥが受信されたＡ１後、プロセッサ３８は、ステップＡ２で、集合ルータ２１のポートの番号ＮＰを含む受信された着信セルのデータ・フィールドの第１のオクテットを分析し、端末装置ＴＤＲの識別子ＮＳＡＰに対応してデータベース３９中に書き込む。番号ＮＰが、集合設備１内部の受信ポートを指示している場合、要求側の端末装置ＴＤＲは、ステップＡ３で、集合設備内部の端末装置として分類され、少なくとも個別設備４のレベルで所在場所が特定されるか、または端末装置ＴＤＲが共用端末装置である場合、ローカル・ループ６２、６Ｎのレベルで所在場所が特定される。
【０１１８】
次に、プロセッサ３８は、ステップＡ４で、着信セルＣＥの制御フィールドＣＣが、集合管理部も含め、端末装置によって提供されることが可能な要求された少なくとも１つの所定の機能を指示するクラスの標識ＩＣＤＥを含んでいることを確認する。クラスの標識ＩＣＤＥが、受信されたセル中で全く見出されない場合、プロセッサ３８は、ステップＡ５で、着信セルＣＥのデータ・フィールドＣＤの制御フィールドＣＣに含まれる要求される１つまたは複数の機能のファジイ分析に取りかかる。要求される機能は、例えば、最初、要求側の端末装置ＴＤＲにおいて捕捉され、セルＣＥの制御フィールドＣＣ中に含められて、プロセッサ３８が、所定のアルゴリズムに従ってクラスの標識ＩＣＤＥを判定するようにするキーワードのリストの形態で表現される。したがって、プロセッサ３８は、ステップＡ５でキーワードのファジイ分析から推定された要求されるサービスの標識ＩＣＤＥ、またはステップＡ４で受信されたセルに含まれる正確な標識ＩＣＤＥをステップＡ６で記録する。
【０１１９】
ステップＡ７で、プロセッサ３８は、要求側の端末装置ＴＤＲの識別子ＮＳＡＰに対応してデータベース３９中で要求側の端末装置ＴＤＲのクラスの標識ＩＣおよびアクセス権ＤＡを読み取り、標識ＩＣが、標識ＩＣＤＥに不適合でないかどうかを確認するようにする。
【０１２０】
プロセッサ３８は、ステップＡ８で、要求される端末装置またはサービスのクラスの標識ＩＣＤＥと比較して要求側の端末装置ＴＤＲのアクセス権ＤＡを分析する。端末装置ＴＤＲにアクセス権が全く関連付けられていない場合、またはデータベース３９中で読み取られたアクセス権ＤＡが、要求側の端末装置ＴＤＲが、ＩＣＤＥで指示される要求されるサービスにアクセスするのを許可しない場合、サービスに対するアクセスのこの失敗Ａ１３は、例えば、記録されかつ／または印刷されたファイルの形態で、コールの報告書を確立すること、また場合によっては要求されたサービスの報告書を確立する最後のステップＡ１４に到り、またステップＡ１５でコールの終了に到る。
【０１２１】
ステップＡ８で、要求側の端末装置ＴＤＲのアクセス権ＤＡが、要求されるクラスの標識ＩＣＤＥに適合する場合、プロセッサ３８は、ステップＡ９で、要求されるクラスの標識ＩＣＤＥで指定される要求される１つまたは複数の所定の機能をカバーする、したがって、要求側の端末装置ＴＤＲのアクセス権ＤＡに適合するサービス提供プロファイルを指示するクラス標識ＩＣを有する、管理部３を含めたすべての内部および外部の端末装置をデータベース３９中で探索する。要求を受ける側の端末装置のリストＬＴＤＥが、プロセッサ３８により、クラスの標識ＩＣおよび所在場所の標識ＩＬをリスト中の要求を受ける側の端末装置の各識別子ＮＳＡＰに対応させて作成される。より正確には、プロセッサ３８は、要求を受ける側の各端末装置に関して、その端末装置の名前および／またはアイコンまたは記号などのグラフィックス表示、その端末装置が所在する場所、ならびに、好ましくは、１つまたは複数のクラス標識に応じてその端末装置が提供する様々な機能およびアプリケーションを含むリストの行を確立する。必要な場合、このリストは、ＡＡＬ（ＡＴＭ  Ａｄａｐｔａｔｉｏｎ  Ｌａｙｅｒ）転送モードに従って、プロセッサ３８からの１つのまたは複数の発信セルＣＳに断片化され、要求側の端末装置ＴＤＲにおいてセルの再組立てが行われることで伝送される。
【０１２２】
次に、ＬＴＤＥリストは、要求側の端末装置ＴＤＲのディスプレイ上で表示され、かつ／またはリストの端末装置にそれぞれ関連する選択アドレスを伴う音声告知の形で提供される。ステップＡ１０で、要求側の端末装置に向き合うユーザが、カーソル・キーにより、または要求側の端末装置のキーボード上で選択の要求を受ける側の端末装置ＴＤＥＳに関連するアドレス（番号）をタイプ入力することにより、リストの要求を受ける側の端末装置の１つ、好ましくは、最も近いところにある要求を受ける側の端末装置を通常の仕方で選択する。次に、選択の要求を受ける側の端末装置ＴＤＥＳのアドレスが、着信セルＣＥ中で端末装置ＴＤＲから集合管理部３に伝送される。
【０１２３】
ステップＡ１０におけるリストＬＴＤＥの照会の際、所定のタイムアウトが満了した時に要求を受ける側の端末装置ＴＤＥＳが全く選択されていない場合、またはユーザが、ステップＡ１１でキャンセル・キーを押したとき、要求側の端末装置ＴＤＲは、コールの終了をプロセッサ３８に通知し、プロセッサ３８は、ステップＡ１４を実行して、ステップＡ１５でコールを終了させる。
【０１２４】
そうでない場合、選択の要求を受ける側の端末装置のアドレスに応答して、プロセッサ３８は、ステップＡ１２で、ルータ２と、管理部３における選択されたアプリケーションとしてのものも含めて選択の要求を受ける側の端末装置ＴＤＥＳとの間の通信を確立し、また経路指定テーブル２５中の２つの経路指定アドレスの対応により、ルータと要求側の端末装置ＴＤＲの間の通信を確立して選択のサービスを提供する。次に、ステップＡ１４およびＡ１５に従ってコールの終了を処理する。
【図面の簡単な説明】
【図１】  本発明によるクライアント専用集合端末設備を示す概略ブロック図である。
【図２】  本発明によるＡＴＭセルを示す図である。
【図３】  集合端末設備に含まれる集合ルータを示す概略ブロック図である。
【図４】  本発明による集合端末設備に含まれる集合管理部を示す概略ブロック図である。
【図５】  任意の内部端末装置と集合管理部の間における、とりわけ内部端末装置を起動する際の対話のアルゴリズムを示す図である。
【図６】  基本的に集合管理部において実行される、端末装置による機能のコールを処理するアルゴリズムを示す図である。
【図１】
0003707471.tif 000002
【図２】
0003707471.tif 000003
【図３】
0003707471.tif 000004
【図４】
0003707471.tif 000005
【図５】
0003707471.tif 000006
【図６】
0003707471.tif 000007